(57)【要約】【課題】従来の用紙給送手段を僅かに形状変更するだけで良く、小型で安価な自動給紙装置及び記録装置を提供すること。【解決手段】用紙を積載する用紙積載手段と、前記用紙積載手段上の前記用紙を送り出す用紙給送手段と、前記用紙積載手段上の前記用紙を前記用紙が給送される方向と直角方向において湾曲させる形状矯正手段と、前記用紙給送手段によって給送される前記用紙の先端部の一部に当接する同一平面上にない斜面部材と、を備えるように構成し、又、前記斜面部材として、複数の斜面部材が前記用紙の給送される方向において異なる位置にあり、前記斜面部材として、前記用紙の給送される方向と直角方向において湾曲した面から成るように構成する。【選択図】図２
2006264932.tif 000002
【特許請求の範囲】
【請求項１】
用紙を積載する用紙積載手段と、前記用紙積載手段上の前記用紙を送り出す用紙給送手段と、前記用紙積載手段上の前記用紙を前記用紙が給送される方向と直角方向において湾曲させる形状矯正手段と、前記用紙給送手段によって給送される前記用紙の先端部の一部に当接する同一平面上にない斜面部材と、を備えたことを特徴とする自動給紙装置。
【請求項２】
前記斜面部材として、複数の斜面部材が前記用紙の給送される方向において異なる位置にあることを特徴とする請求項１記載の自動給紙装置。
【請求項３】
前記斜面部材として、前記用紙の給送される方向と直角方向において湾曲した面から成ることを特徴とする請求項１記載の自動給紙装置。
【請求項４】
請求項１〜３記載の自動給紙装置と、該自動給紙装置によって給送された前記シートに画像を形成する記録手段と、を備えたことを特徴とする記録装置。
【発明の詳細な説明】
【技術分野】
【０００１】
本発明は、記録装置或いは複写機に記録用紙を給送したり、画像読み取り装置等に原稿を順次給送するための自動給紙装置に関するものである。
【背景技術】
【０００２】
従来、積層された用紙を、記録装置或いは画像読取装置等に１枚ずつ分離して給送する自動給紙装置として、アームを介して給紙ローラを駆動する斜面分離方式が良く用いられている。この給紙手段は図６に示すように、用紙台２に積載された用紙１００の給送方向下流に、傾斜した斜面部材３を設けている。
【０００３】
給紙ローラ１は、支点７ａを中心に回転自在に支持されているアーム７に回転自在に支持されており、用紙台２に積載された用紙１００に、用紙１００の積載量によらず接離可能となっている。斜面分離方式は、給紙ローラ１が回転して用紙１００が斜面部材３に当接した時に、用紙１００が斜面部材３から受ける摩擦抵抗を利用して、用紙１００を１枚ずつ分離して給送を行うものである。
【０００４】
斜面分離方式において用紙の分離を確実に行うために、用紙積載手段に積載された用紙を、用紙が給送される方向と直交する方向において湾曲させる部材を備える方法が用いられている。例えば、特許文献１（図２）及び特許文献２（図３）参照。
【０００５】
図７に示すように、用紙台２の底面に形状矯正部材９を備えることで、積載する用紙１００を給送方向と直角方向に湾曲させる。このようにして湾曲させた用紙１００は、給送方向への剛性が実質的に高められるため、用紙１００の先端が斜面部材に当接した際に用紙が斜面部材から受ける抵抗力が大きくなり、最上位の用紙を確実に下位の用紙と分離することが可能となる。
【０００６】
【特許文献１】特開２０００−１４３００２号公報
【特許文献２】特開２００３−０８１４４９号公報
【発明の開示】
【発明が解決しようとする課題】
【０００７】
しかしながら、用紙を湾曲させると、用紙を給送した際に用紙の先端が斜面部材に均一に接触しなくなる問題がある。
【０００８】
図１に示すように、最上位の用紙１００ａは用紙台２の上に備えた形状矯正部材９により、給送方向に直角方向において中央部が上に持ち上げられて湾曲している。用紙１００ａが給送されたとき、用紙１００ａの給送方向と直行する方向において両端の下に下がっている部分だけが斜面部材３に当接する。このとき、斜面部材３が同一平面状にあると、形状矯正部材９により湾曲して上に持ち上げられた用紙１００ａの中央部分は斜面部材３から離れてしまう。斜面部材３に当接させるためには更に用紙１００ａを送らなければならないが、用紙１００ａの先端が全て斜面部材３に当接したときには、用紙１００ａはすでに斜面部材３に沿って給送方向に曲がって剛性が低下しているため、分離に必要な抵抗力が得られない。
【０００９】
このように、用紙が斜面部材から受ける抵抗力を大きくするために、用紙を湾曲させると、用紙の先端が均一に斜面部材に当接しなくなるため、斜面部材から効率良く抵抗力を受けることができない。
【００１０】
本発明は、上記問題に鑑みてなされたもので、その目的とする処は、従来の用紙給送手段を僅かに形状変更するだけで良く、小型で安価な自動給紙装置及び記録装置を提供することである。
【課題を解決するための手段】
【００１１】
上記課題を達成するため、請求項１記載の発明は、用紙を積載する用紙積載手段と、前記用紙積載手段上の前記用紙を送り出す用紙給送手段と、前記用紙積載手段上の前記用紙を前記用紙が給送される方向と直角方向において湾曲させる形状矯正手段と、前記用紙給送手段によって給送される前記用紙の先端部の一部に当接する同一平面上にない斜面部材と、を備えるように構成する。
【００１２】
請求項２記載の発明は、請求項１記載の自動給紙装置に関し、前記斜面部材として、複数の斜面部材が前記用紙の給送される方向において異なる位置にあるように構成する。
【００１３】
請求項３記載の発明は、請求項１記載の自動給紙装置に関し、前記斜面部材として、前記用紙の給送される方向と直角方向において湾曲した面から成るように構成する。
【００１４】
請求項４記載の発明は、請求項１〜３記載の自動給紙装置と、該自動給紙装置によって給送された前記シートに画像を形成する記録手段と、を備えるように構成する。
【発明の効果】
【００１５】
本発明では、斜面分離方式を用いた自動給紙装置に関し、用紙の給送方向の剛性を高めるために用紙を湾曲させた場合において、同一平面上にない斜面部材を備えることで、給送される用紙に斜面部材から安定した抵抗力を与えて確実に下位の用紙と分離することを可能にする。
【００１６】
本発明は、従来の用紙給送手段を僅かに形状変更するだけで良く、小型で安価な自動給紙装置及び記録装置を提供することができる。
【発明を実施するための最良の形態】
【００１７】
図２は、本発明の実施に係る自動給紙装置を備えた記録装置の一例であるインクジェットプリンタの概略構成を示す断面図である。
【００１８】
同図において、１０１Ａは自動給紙装置である。自動給紙装置１０１Ａは、用紙を積載する手段である用紙台２と、用紙台２に積載された用紙１００を送り出す用紙給送手段である給紙ローラ１と、を備えている。給紙ローラ１は、用紙台２の給紙ローラ１よりも上流側の上方に位置している支点７ａにより回転自在に支持されているアーム７に回転自在に支持されており、用紙台２に積載された用紙１００に、用紙１００の積載量によらず接離可能となっている。
【００１９】
又、図示しない駆動源からの駆動により回転するようになっている。用紙台２の底面には、積載されている用紙１００を給送方向と直角方向に湾曲させる形状矯正手段として形状矯正部材９を備えている。
【００２０】
用紙台２の用紙給送方向の下流側端部には、給紙ローラ１の回転により給送された用紙１００に当接して、用紙１００を分離するための斜面部材３を設けている。
【００２１】
斜面部材３の下流には、ローラガイド１２０及びＵターンローラ１２１で構成される用紙搬送通路Ｒが設けられている。給送される用紙１００は、Ｕターンローラ１２１の回転により、搬送経路Ｒを通過した後、搬送ローラ１０９とピンチローラ１１２との間に導かれる。その後、用紙１００は、搬送ローラ１０９及びピンチローラ１１２に挟まれた状態で、記録ヘッド１０３と対向する記録位置に設けられたプラテン１２２まで給送される。
又、１０３Ａは画像記録部であり、この画像記録部１０３Ａは記録ヘッド１０３と、記録ヘッド１０３を積載するキヤリア１０２とを備えている。
【００２２】
記録ヘッド１０３は用紙１００に対向した面の副走査方向に図示しない複数のノズル列を持ち、ノズル列ごとに異なる色のインクを吐出するようになっている。又、キヤリア１０２は、互いに平行に配置されたガイドシャフト１０７とガイドレール１０８に沿って摺動可能に支持されている。
【００２３】
このキヤリア１０２を往復運動させながら、記録ヘッド１０３よりインクを用紙１００に向けて吐出することにより、プラテン１２２に給送された用紙１００上に画像を形成するようになっている。
【００２４】
画像が形成された後、用紙１００は、排出ローラ１１１ａと拍車１１１ｂによって排紙されるようになっている。
【００２５】
本発明の特徴として、図３に示すように、斜面部材３は板状の部材であり、同形状のものを用紙台２の上に複数個備えている。斜面部材３は、用紙給送方向に直角方向に並べて配置されており、用紙給送方向において異なる位置にある。用紙台２の底面に備える形状矯正部材９の位置に対応して、斜面部材３の位置が決まっている。湾曲した用紙の先端に沿うように、形状矯正部材９により用紙が持ち上げられる部分では斜面部材３が用紙給送方向の手前側に配置されている。
【００２６】
次に、本発明の自動給紙装置を構成する各部材の動作を図４を用いて説明する。
【００２７】
図４において、画像記録動作が開始されると、先ず、アーム７の下方回動により、給紙ローラ１が用紙台２に積載されている用紙１００の最上位の用紙１００ａに圧接する。この状態で給紙ローラ１を回転させると、用紙１００ａは斜面部材３に当接する。
このとき、斜面部材３が用紙搬送方向において異なる位置に配置されているために、用紙１００ａの先端が湾曲に関係なく同時に斜面部材３に当接する。このため、用紙１００ａは斜面部材３から大きな抵抗力を受けることができ、確実に下位の用紙１００と分離される。
【００２８】
図５は、本発明の他の実施例を示す自動給紙装置の概念図であり、上記実施例と同様なインクジェットプリンタに組み込まれている。給紙ローラ１、用紙台２、形状矯正部材９は上記実施例と同様である。
【００２９】
分離を行うために、用紙台２に湾曲した平面で構成される湾曲斜面部材３ｂが備えられている。先の実施例と同様に、用紙台２に備えられている形状矯正部材９の位置に対応して斜面が湾曲している。形状矯正部材９により湾曲している用紙の先端に沿うように、斜面を湾曲させて湾曲斜面部材３ｂを構成する。
【００３０】
これにより、用紙１００ａが送り出された際に、用紙１００ａの先端は同時に湾曲斜面部材３ｂに当接し、用紙１００ａは湾曲斜面部材３ｂから大きな抵抗力を受けて、確実に下位の用紙１００と分離される。
【図面の簡単な説明】
【００３１】
【図１】従来技術である自動給紙装置における問題点を示す断面図である。
【図２】本発明の実施の形態に係る自動給紙装置を備えた記録装置の一例であるインクジェットプリンタの概略構成を示す断面図である。
【図３】本発明の実施例である自動給紙装置の構成を示す斜視図である。
【図４】本発明の実施例である自動給紙装置の構成及び給紙動作を示す断面図である。
【図５】本発明の第２の実施例である自動給紙装置の構成を示す斜視図である。
【図６】従来技術である自動給紙装置の構成及び給紙動作を示す断面図である。
【図７】従来技術である自動給紙装置の構成を示す断面図である。
【符号の説明】
【００３２】
１      給紙ローラ
２      用紙台
３      斜面部材
３ｂ    湾曲斜面部材
７      アーム
９      形状矯正部材
１００  用紙
【図１】
2006264932.tif 000003
【図２】
2006264932.tif 000004
【図３】
2006264932.tif 000005
【図４】
2006264932.tif 000006
【図５】
2006264932.tif 000007
【図６】
2006264932.tif 000008
【図７】
2006264932.tif 000009